(57)【特許請求の範囲】
【請求項１】
表示部を備えた端末のリスト表示方法において、
リスト表示の必要性を感知する段階と、
リスト表示の必要性を感知すると、リストに含まれる項目をリスト表示領域に相応する表示項目及びリスト蓄積領域に相応する蓄積項目で分類する段階と、
前記表示項目を前記リスト表示領域に表示する段階と、及び
前記リスト蓄積領域に前記蓄積項目に関する情報を表示する蓄積表示段階と、
を含み、
前記蓄積表示段階は、前記リスト蓄積領域に前記蓄積項目の個数に相応する面積を割り当てる、リスト表示方法。
【請求項２】
前記蓄積表示段階は、
前記リスト蓄積領域に前記蓄積項目を蓄積された形態で表示する段階を含む、請求項１に記載のリスト表示方法。
【請求項３】
前記蓄積表示段階は、
前記蓄積項目を前記表示部の画面に対して前記リスト表示領域と近い辺を軸へ予め設定された角度ほど傾いた形態で前記リスト蓄積領域に表示する段階を含む、請求項２に記載リスト表示方法。
【請求項４】
前記蓄積項目は複数であり、
前記蓄積表示段階は前記複数の蓄積項目を前記表示部の画面に対してリスト表示領域と近い辺を軸へ予め設定された角度ほど傾いて互いに重なった形態で前記リスト蓄積領域に表示する段階を含む、請求項３に記載のリスト表示方法。
【請求項５】
前記蓄積表示段階は、前記蓄積項目を前記表示項目の後方に位置した形態で表示するが、前記表示項目に近接した蓄積項目であればあるほど前方に位置した形態で表示する段階を含む、請求項２に記載のリスト表示方法。
【請求項６】
前記蓄積表示段階は前記蓄積項目の個数によって前記リスト蓄積領域を設定して表示する段階を含む、請求項１に記載のリスト表示方法。
【請求項７】
前記蓄積表示段階は、
前記蓄積項目の個数によって前記リスト蓄積領域の明度を決定して表示する段階;又は
前記リスト蓄積領域に前記蓄積項目の個数ほどの線を表示する段階を含む、請求項６に記載のリスト表示方法。
【請求項８】
リストを表示する端末において、
リスト表示の必要性を感知すると、リストに含まれる項目をリスト表示領域に相応する表示項目及びリスト蓄積領域に相応する蓄積項目で分類するリスト分類部、及び
前記表示項目を前記リスト表示領域に表示して前記リスト蓄積領域に前記蓄積項目に関する情報を表示する表示部を含み、
前記表示部は、前記リスト蓄積領域に前記蓄積項目の個数に相応する面積を割り当てる、端末。
【請求項９】
前記表示部は前記リスト蓄積領域に前記蓄積項目を蓄積された形態で表示することを特徴とする、請求項８に記載の端末。
【請求項１０】
前記表示部は前記蓄積項目を前記表示部の画面に対して前記リスト表示領域と近い辺を軸へ予め設定された角度ほど傾いた形態で前記リスト蓄積領域に表示することを特徴とする、請求項９記載の端末。
【請求項１１】
前記蓄積項目は複数であり、
前記表示部は前記複数の蓄積項目を前記表示部の画面に対して前記リスト表示領域と近い辺を軸へ予め設定された角度ほど傾いて互いに重なった形態で前記リスト蓄積領域に表示することを特徴とする、請求項１０に記載の端末。
【請求項１２】
前記表示部は前記蓄積項目を前記表示項目の後方に位置した形態で表示するが、前記表示項目に近接した蓄積項目であればあるほど前方に位置した形態で表示することを特徴とする、請求項９に記載の端末。
【請求項１３】
前記表示部は前記蓄積項目の個数によって前記リスト蓄積領域を設定して表示することを特徴とする、請求項８に記載の端末。
【請求項１４】
前記表示部は前記蓄積項目の個数によって前記リスト蓄積領域の明度を決定して表示したり、前記リスト蓄積領域に前記蓄積項目の個数ほどの線を表示することを特徴とする、 請求項１３に記載の端末。
【発明の詳細な説明】
【技術分野】
【０００１】
本発明はグラフィックユーザーインタフェイス(ＧＵＩ;Ｇｒａｐｈｉｃ  Ｕｓｅｒ  Ｉｎｔｅｒｆａｃｅ)に関し、より詳しくは移動端末のディスプレー上でリストを表示する方法及び装置に関する。
【背景技術】
【０００２】
図１は、関連技術による従来のリスト表示方法を示す。
【０００３】
示したように、項目Ａ−Ｊを含み、図１の参照ラベル１１０によって参照されるリストを参照すれば、Ｄ乃至Ｊ項目(ｉｔｅｍ)が画面領域１３０に表示され、Ａ−Ｃ項目は表示されない領域にある。ディスプレースクリーンの制限された大きさのためリスト内の選択された数字の項目だけが見える領域内にあり、使用者に表示される。
【０００４】
使用者が端末機でリストを確認する際、画面領域１３０外部に存在する項目Ａ−Ｃを確認するためにはリストをスクロールして確認しようとする項目が画面領域１３０中へ入るようにすべきである。図１の方式によれば、使用者が全体リストを探索するためにはスクロール操作を通じてリストの確認しようとする項目を画面領域１３０の中へ移動させなければならない。この場合、タッチスクリーンの考慮される時、使用者は見える領域(リスト１１０内のハッシュされた円によって指示される)内の位置をタップし、タップされた(タッチされた)領域を(方向矢印によって指示されるように)下方向に引く。
【０００５】
スクロ-ルリングの結果は、リスト１２０から見えるように、見えなかった項目Ａ−Ｃを見せる領域で引き寄せて、項目Ｈ−Ｊを見せる領域１３０から除去する。
【０００６】
このように使用者が端末機でページ或いはリストを確認する時、ページ或いはリストを表示するために必要な空間が画面領域１３０の範囲を外れるようになると使用者に画面領域１３０外部に対する情報を提供し難い。画面領域１３０外部に存在する項目の存在有無や項目の量を画面領域１３０内に提供することができなければ使用者が全体項目に対する情報を認知することに困難がある。
【発明の概要】
【発明が解決しようとする課題】
【０００７】
本発明は上述した問題点を解決するために提案されたもので、使用者が移動端末機の制限された画面の中で全体ページ又はリストの情報を容易であり、かつ早く確認して制御することができるようにするリスト表示装置及び方法を提供することをその目的とする。
【課題を解決するための手段】
【０００８】
上述した課題を達成するために、本発明の一実施例による表示部を備えた端末のリスト表示方法は、リスト表示の必要性を感知する段階、リスト表示の必要性を感知すると、リストに含まれる項目をリスト表示領域に相応する表示項目及びリスト蓄積領域に相応する蓄積項目で分類する段階、上記表示項目を上記リスト表示領域に表示する段階及び上記リスト蓄積領域に上記蓄積項目に関する情報を表示する蓄積表示段階を含むことができる。
【０００９】
上述した課題を達成するために、本発明の一実施例によるリストを表示する端末は、リスト表示の必要性を感知すると、リストに含まれる項目をリスト表示領域に相応する表示項目及びリスト蓄積領域に相応する蓄積項目で分類するリスト分類部及び上記表示項目を上記リスト表示領域に表示して上記リスト蓄積領域に上記蓄積項目に関する情報を表示する表示部を含むことができる。
【００１０】
その他、実施例の具体的な事項は詳細な説明及び図面に含まれている。
【発明の効果】
【００１１】
本発明の一実施例によれば使用者が移動端末機の制限された画面の中で全体ページ又はリストの情報を容易であり、かつ早く確認して制御することができるようにする效果がある。
【図面の簡単な説明】
【００１２】
【図１】従来技術によるリスト表示方法の例示図である。
【図２】本発明の第1実施例による端末のブロック構成図である。
【図３】本発明の第1実施例によるリスト表示過程のフローチャートである。
【図４】本発明の第２実施例によるリスト表示過程のフローチャートである。
【図５Ａ】本発明の第３実施例によるリスト表示画面である。
【図５Ｂ】本発明の第３実施例によるリスト表示画面である。
【図６】本発明の第４実施例によるリスト表示画面である。
【図７】本発明の第５実施例によるリスト表示画面である。
【図８】本発明の第６実施例によるリスト表示過程のフローチャートである。
【図９】本発明の第７実施例によるリスト表示画面である。
【図１０】本発明の第８実施例によるリスト表示画面である。
【図１１】本発明の第９実施例によるリスト表示画面である。
【発明を実施するための形態】
【００１３】
以下、本発明の実施例を添付された図面を参照して詳細に説明する。
【００１４】
実施例を説明することにおいて本発明が属する技術分野によく知られており、本発明と直接的に関連がない記述内容に対しては説明を省略する。これは不必要な説明を省略することによって本発明の要旨を濁さなくより明確に伝達するためである。
【００１５】
同様の理由で添付図面において一部構成要素は誇張されたり省略されたり概略的に示された。また、各構成要素の大きさは実際の大きさを全的に反映するものではない。各図面で同一又は対応する構成要素には同一参照番号を付与した。
【００１６】
本発明においてリストとは端末の画面に表示される２つ以上の項目の手順的な集合を言う。リストを構成する項目はデータ要素である。例えば、現在実行されている各アプリケーションはリストを構成する項目となることができる。また、携帯用電話の各連絡先の情報はリストを構成する項目となることができる。多くのページから構成された電子ブック(ｅ−ｂｏｏｋ)は各ページがリストを構成する項目となることができる。その外にすべてのデータ要素、客体などがリストを構成する項目となることができる。
【００１７】
以下、本発明の実施例によってリスト表示方法及びこれを行う端末を説明するための図面を参考して本発明に対して説明する。
【００１８】
図２は本発明の第１実施例による端末のブロック構成図である。
【００１９】
図２に示したように、本発明の第１実施例による端末は通信部２１０、オーディオ処理部２２０、タッチスクリーン部２３０、キー入力部２４０、貯蔵部２５０及び制御部２６０を含むことができる。
【００２０】
通信部２１０は端末の通信のための当該のデータの送受信機能を行う。通信部２１０は送信される信号の周波数を上昇変換及び増幅するＲＦ送信機と、受信される信号を低雑音増幅して周波数を下降変換するＲＦ受信機などから構成されることができる。また、通信部２１０は有線又は無線チャンネルを通じてデータを受信して制御部２６０で出力し、制御部２６０から出力されたデータを有線又は無線チャンネルを通じて送信することができる。
【００２１】
オーディオ処理部２２０はコーデック(ＣＯＤＥＣ)から構成されることができ、コーデックはパケットデータなどを処理するデータコーデックと音声などのオーディオ信号を処理するオーディオコーデックから構成されることができる。オーディオ処理部２２０はデジタルオーディオ信号をオーディオコーデックを通じてアナログオーディオ信号に変換してスピーカー(ＳＰＫ)を通じて再生し、マイク(ＭＩＣ)から入力されるアナログオーディオ信号をオーディオコーデックを通じてデジタルオーディオ信号に変換する。
【００２２】
本発明の第１実施例による端末は通信部２１０及びオーディオ処理部２２０を含むことができるが、通信が必要ではない端末やオーディオ処理の不必要な端末は通信部２１０又はオーディオ処理部２２０を含まないこともある。以下に記述される本発明の実施例が必ず通信部２１０又はオーディオ処理部２２０を備える端末機２００にだけ適用されることではない。
【００２３】
タッチスクリーン部２３０はタッチセンサー部２３１及び表示部２３２を含む。タッチセンサー部２３１は使用者のタッチ入力を感知する。タッチセンサー２３１部は静電容量方式(ｃａｐａｃｉｔｉｖｅ  ｏｖｅｒｌａｙ)、圧力式抵抗膜方式(ｒｅｓｉｓｔｉｖｅ  ｏｖｅｒｌａｙ)、赤外線感知方式(ｉｎｆｒａｒｅｄ  ｂｅａｍ)などのタッチ感知センサーから構成されたり、圧力感知センサー(ｐｒｅｓｓｕｒｅ  ｓｅｎｓｏｒ)から構成されることもできる。上記センサーの以外にも物体の接触又は圧力を感知することができるすべての種類のセンサー機器が本発明のタッチセンサー部２３１から構成されることができる。タッチセンサー部２３１は使用者のタッチ(又はタップ)入力を感知し、感知信号を発生させて制御部２６０に送信する。上記感知信号にはタッチ又はタップが起きた位置を記述するタッチ地点の座標データが含まれる。使用者がタッチ位置移動動作を入力した場合にタッチセンサー部２３１はタッチ位置移動経路の座標データを含む感知信号を発生させて制御部２６０に送信する。
【００２４】
特に、タッチセンサー部２３１は本発明の実施例によってリストをスクロールしたりリストを表示するための使用者入力を感知することができる。タッチ(マルチタッチ含み)、ドラッグなどがこのような入力の例になることができる。
【００２５】
表示部２３２は液晶表示装置(ＬＣＤ、Ｌｉｑｕｉｄ  Ｃｒｙｓｔａｌ  Ｄｉｓｐｌａｙ)、有機発光ダイオード(ＯＬＥＤ、Ｏｒｇａｎｉｃ  Ｌｉｇｈｔ  Ｅｍｉｔｔｉｎｇ  Ｄｉｏｄｅｓ)、能動型有機発光ダイオード(ＡＭＯＬＥＤ、Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ)などに形成されることができ、端末のメニュー、入力されたデータ、機能設定情報及びその他の多様な情報を使用者に視覚的に提供する。表示部２３２は端末のブーティング画面、待機画面、メニュー画面、通話画面、その他のアプリケーション画面を出力する機能を行う。
【００２６】
本発明の第１実施例による端末は上記のようにタッチスクリーンを含んで構成されることができるが、以下に記述される本発明の実施例が必ずタッチスクリーンを備える端末にだけ適用されることではないことに留意すべきである。本発明がタッチスクリーンを具備しない携帯端末機に適用される場合、図２に示されるタッチスクリーン部２３０は表示部２３２の機能のみを行うように変形適用されることができる。
【００２７】
特に、本発明の実施例による表示部２３２は画面領域にリスト表示領域とリスト蓄積領域を割り当てることができる。また表示部２３２はリスト表示領域に表示項目を表示してリスト蓄積領域に蓄積項目に対する情報を表示することができる。ここで画面領域は表示部２３２が情報を表示することができる画面全体の領域を言う。また、表示項目はリスト表示領域に表示される項目である。リスト蓄積領域には蓄積項目に関する情報が表示される。蓄積項目に比べて当該の表示項目の情報が多い部分表示されることができる。リスト蓄積領域には蓄積項目の個数又は蓄積項目に関するその他の情報が表示されることができる。リスト蓄積領域には蓄積項目に関する情報が蓄積された形態で表示されることができる。表示部の動作については図３乃至図１１を参照して詳しく後述する。
【００２８】
キー入力部２４０とは端末を制御するための使用者のキー操作を入力受けて入力信号を生成して制御部２６０に伝達する。キー入力部２４０は数字キー、方向キーを含むキーパッドから構成されることができ、端末の一面に所定の機能キーで形成されることができる。本発明の実施例によってタッチスクリーン部２３０だけですべての操作が可能な携帯端末機の場合にはキー入力部２４０が省略されることもできる。
【００２９】
１つ以上のメモリー類型から構成されることができる貯蔵部２５０は端末の動作に必要なプログラム及びデータを貯蔵する役目を行い、プログラム領域とデータ領域に区分されることができる。プログラム領域は端末の全般的な動作を制御するプログラム及び端末をブーティングさせる運営体制(ＯＳ、Ｏｐｅｒａｔｉｎｇ  Ｓｙｓｔｅｍ)、マルチメディアコンテンツ再生などに必要な応用プログラム、端末のその他のオプション機能、例えば、カメラ機能、音再生機能、イメージ又は動映像再生機能に必要な応用プログラムなどを貯蔵することができる。データ領域は端末の使用によって発生するデータが貯蔵される領域として、イメージ、動映像、フォンブック、オーディオデータなどを貯蔵することができる。特に、貯蔵部２５０は表示部２３２によって表示されるリストに対する情報及びそのリストの各項目に対する情報を貯蔵することができる。貯蔵されたリストに対する情報及び各項目に対する情報は必要によって表示部２３２によって表示される。
【００３０】
プロセッサー、プロセッシング部、コンピューターなどを含むことができる制御部２６０は携帯端末機の各構成要素に対する全般的な動作を制御する。特に、本発明の第1実施例による制御部２６０はリスト分類部２６１を含む。
【００３１】
リスト分類部２６１は貯蔵部２５０に貯蔵されたり通信部２１０を通じる通信を通じて利用可能な１つ以上の特定のリストを表示することに係る入力に応答して動作する。また、リスト分類部２６１はリスト表示の必要性を感知すると、リストに含まれる項目をリスト表示領域に相応する表示項目及びリスト蓄積領域に相応する蓄積項目で分類する。このように分類された表示項目は表示部２３２によってリスト表示領域に表示される。また、表示部２３２はリスト蓄積領域に蓄積項目に関する情報を表示する。リスト分類部２６１の詳細な構成及び動作に対しては図３乃至図１１を参照して詳しく後述する。
【００３２】
図３は本発明の第1実施例によるリスト表示過程のフローチャートである。
【００３３】
段階３１０でリスト分類部２６１はリストを表示するための要請が受信されたのか判断する。リスト表示の必要な状況は、例えば使用者から住所録の表示を要請する入力を受信する場合になることができる。また、既にリスト表示となっている途中に使用者からリストをスクロールする入力を受信する場合もリスト表示が必要な状況である。端末で２つ以上のアプリケーションが同時に遂行される場合に当該のアプリケーションの制御に相応する画面がそれぞれ存在すると仮定することができる。この場合に、各アプリケーションの制御に相応する各画面が実行アプリケーションリストの項目となることができる。制御画面が必要な２つ以上のアプリケーションが行わればリスト分類部２６１は各制御画面を項目として持つリスト表示の必要性を感知することができる。
【００３４】
追加で、使用者から別途の入力がない場合にもリスト分類部２６１はリスト表示の必要性を感知することができる。例えば端末が特定時刻に住所録を表示するように予め設定されている場合、当該の時刻になれば(例えば、毎日午前８時すべき事のリスト)リスト分類部２６１は相応するリストの表示を始めることができる。また、時刻以外の他の条件、例えば温度、湿度、周辺の明るさなどが予め設定された条件を満足させる場合、リスト分類部２６１はリスト表示の必要性を感知することができる。リスト分類部２６１がリスト表示の必要性を感知することができなかった場合、リスト表示過程は段階３１０に帰ってリスト表示の必要性を感知するまで待機する。
【００３５】
リスト分類部２６１がリスト表示の必要性を感知した場合、段階３２０でリスト分類部２６１は表示されるべきリストの項目を表示項目と蓄積項目で分類する。表示項目は伝統的な観点で表示部２３２に表示されるべき項目である。例えば、最近通話リストを表示する場合、特定個数、言わば１０個の最近の通話内訳が表示項目となることができる。以外の通話内訳は蓄積項目で分類される。しかし、以後に使用者のスクロール入力を受信すればそのスクロール入力によって表示項目と蓄積項目の分類が変わる。したがってスクロール入力になる毎に表示項目と蓄積項目の分類は変わる。他の例えば、住所録検索をした場合、検索語、又は検索番号に相応する住所項目と当該の住所項目に引接して後行する９個の住所項目が表示項目となることができる。残り住所項目は蓄積項目となることができる。伝統的な観点では蓄積項目に対する情報は表示部２３２に表示されなかったが、本願発明の実施例によれば蓄積項目に対する情報も表示部２３２に表示されることができる。
【００３６】
他の側面で、リスト表示領域内の項目の数字は各表示項目の要求される大きさ及びディスプレーの特性に基礎して決定することができる。例えば、ディスプレー大きさ３２０ｘ１２０解像度は各表示項目の要求される大きさが３２ｘ１６０の場合、１０個以下の項目を含むことができる。リスト表示領域の大きさは少なくとも１つのリスト蓄積領域の大きさに基礎して減少されることができる。例えば、ディスプレー大きさが３２０ｘ１６０であり、２つのリスト蓄積領域がそれぞれ３２ｘ１６０の場合、最大８個の３２ｘ１６０大きさの項目がリスト表示領域に含まれることができる。しかし、要求される表示項目大きさが１６ｘ１６０であれば、最大１６個の項目がリスト表示領域に表示されることができる。
【００３７】
他の側面で、リスト表示領域内の項目の数は固定され、各項目の大きさ(解像度)が上述した方法と類似の方式で決定することもできる。
【００３８】
段階３３０で表示部２３２は表示項目をリスト表示領域に表示する。表示項目をリスト表示領域に表示する方式は従来の表示方法と類似に行われることができる。例えば、住所リストが表示される場合、住所項目に含まれた情報の中で予め設定された情報、例えば名前情報及び短縮番号情報が表示されることができる。
【００３９】
段階３４０で表示部２３２は蓄積項目に関する情報をリスト蓄積領域に表示する。実施例にしたがってリスト蓄積領域に蓄積項目自体は表示されないこともあり、蓄積項目の個数だけが表示されることもできる。又は、リスト蓄積領域に蓄積項目が蓄積された形態に表示されることもできる。蓄積項目に関する情報の表示に対しては図４乃至図１１を参照して詳しく後述する。
【００４０】
図４は本発明の第２実施例によるリスト表示過程のフローチャートである。
【００４１】
図４の段階３１０乃至段階３３０は図３の段階３１０乃至段階３３０に相応するのでここでは詳細な説明を省略する。
【００４２】
段階４４０は図３の段階３４０の詳細実施例である。
【００４３】
段階４４０で表示部２３２は蓄積項目を蓄積された形態で表示する。表示部２３２が蓄積項目を蓄積された形態で表示する方式に対しては図５Ａ乃至図７を参照して第３実施例乃至第５実施例に対する説明で詳しく後述する。
【００４４】
図５Ａ及び図５Ｂは本発明の第３実施例によるリスト表示画面である。
【００４５】
表示部２３２は画面領域５４０のうちの一部をリスト表示領域５７０及びリスト蓄積領域５５０で割り当てる。画面外領域５６０は説明の便宜上表示されたが、実際使用者には見えない。
【００４６】
図３及び図４を参照して上述したように表示部２３２はリスト表示領域５７０に表示項目を表示する。第１段階５１０ではＤ乃至Ｉ項目がリスト表示領域５７０に表示される。項目Ｂ及びＣ、Ｊ及びＫがリスト蓄積領域５５０内に表示される。項目Ａ及びＬは後述したようにリスト表示領域及びリスト蓄積領域のうちでどの所でも表示されない。使用者のスクロール入力に応答し、要素５２０で示したハッシュされた円及び方向矢印が示すように、スクロールが引き続くことによって、リスト表示領域５７０に表示されるＣ乃至Ｈ項目が要素５１０の項目Ｄ乃至Ｈを取り替えて、要素５３０で表示されるＡ乃至Ｆ項目が要素５２０でのＣ乃至Ｈ項目を取り替える。すなわち、要素５２０に見えるタッチ(及びドラッグ)操作に応答し、項目Ｂ及びＡがリスト蓄積領域５５０からリスト表示領域５７０に移動され、項目Ｈ及びＧはリスト蓄積領域５５０に移動される。要素５３０で、項目Ａの前には項目がないので、リスト蓄積領域５５０は空けられる。
【００４７】
すなわち、リスト表示領域の項目を取り替える項目は、この実施例で入力の方向の反対側リスト蓄積領域から選択される。
【００４８】
表示部２３２はリスト蓄積領域５５０に蓄積項目を蓄積された形態で表示する。図５Ａ及び図５Ｂの実施例で蓄積項目は画面に対して予め設定された角度ほど傾いた形態で、遠近感を感じるように表示される。すなわち、蓄積項目は蓄積項目の傾くことによって使用者から遠いことに表示される辺が使用者から近いことに表示される辺より長い形態で表示されることができる。特に、蓄積項目はリスト表示領域５７０と近い辺を軸へ傾いた形態で表示される。例えば第１段階５１０からリスト表示領域５７０の上側に位置するＡ乃至Ｃ項目はＤ項目に近い辺を軸にして画面を穿って下る方向又はページが見える方向、すなわちＺ軸の反対方向で傾いた形態で表示される。また、蓄積項目は１つの蓄積領域に表示される蓄積項目が２つ以上の場合、互いに重なった形態で表示される。蓄積項目が多くない場合、蓄積項目の情報の中で一部が互いに重ならない部分を通じて表示されることができる。例えば第１段階５１０でＢ項目及びＣ項目の字(Ｂ、Ｃ)の一部が表示されることができる。蓄積項目が互いに重なる時、表示項目により最も近い項目が表示項目からより遠い項目より後方(Ｚ軸の反対方向)に位置するように重なることができる。
【００４９】
リスト蓄積領域５５０の面積は一定するが、リスト蓄積領域５５０に表示される蓄積項目の個数は時によって変わることができる。リスト蓄積領域５５０に表示される蓄積項目の個数が多い場合、リスト蓄積領域５５０に表示される蓄積項目の個数が少ない場合に比べて蓄積項目がよりびっしりと配置された形態で表示されることができる。特に、ある１つのリスト蓄積領域５５０に表示される蓄積項目がない場合、当該のリスト蓄積領域５５０は空けられた状態に表示されることができる。このようなリスト蓄積領域５５０の項目の表示の説明は以後の実施例でも同様である。
【００５０】
図５Ｂは上述した座標方向を見せるディスプレーの斜視図であり、リスト表示領域５４０内にない項目は折られた要素として表示される。しかし、このような表現は単純にリスト蓄積領域内の項目がディスプレーの表現で省略され、このリスト蓄積領域内に項目がある時、小さな部分だけが使用者に見えることを現わすためのことである。
【００５１】
上述したようにリスト分類部２６１はスクロール入力やその他の条件によってリストの項目を表示項目及び蓄積項目で分類し、表示部２３２はそれによって表示項目及び蓄積項目を表示する。このような過程は後述する図６乃至図１１でも同様に遂行される。
【００５２】
図５Ａ及び図５Ｂの実施例のようにリスト蓄積領域５５０は２つが存在することができ、上側のリスト蓄積領域５５０には表示項目より先行する項目が表示され、下側のリスト蓄積領域５５０には表示項目より後行する項目が表示されることができる。しかし、必ず２つのリスト蓄積領域５５０が必要なものではなく２つの中で１つだけが存在しても関係ない。リスト蓄積領域５５０が１つだけ存在する場合に対しては図９及び図１０を参照して詳しく後述する。
【００５３】
図６は本発明の第４実施例によるリスト表示画面である。
【００５４】
表示部２３２は画面領域のうちで一部をリスト表示領域６５０及びリスト蓄積領域６６０で割り当てる。この場合、リスト蓄積領域はリスト表示領域６５０に対して水平するように位置する。この実施例ではリスト表示領域５６０に１つの表示項目だけが同時に表示される(要素６１０)。
【００５５】
一番目要素６１０ではＣ項目がリスト表示領域６５０に表示され、複数の項目(Ａ及びＢ)は左側リスト蓄積領域６６０に表示され、１つの項目(Ｄ)は右側リスト蓄積領域６６０に表示される。
【００５６】
以後、使用者のスクロールによって(ハッシュされた円及び方向矢印によって指示されるように)項目Ｂはリスト蓄積領域６６０からひかれ出て項目Ｃはリスト蓄積領域６６０に移動される。この実施例で要素６２０ではＣ項目とＢ項目の一部がリスト表示領域６５０に表示される。スクロールが続けば、要素６３０ではリスト表示領域６５０にＢ項目が全部表示され、要素６４０では結局Ａ項目が表示される。項目Ｃ及びＢは要素６２０で見える右側へのスクロールに応答して右側リスト蓄積領域６６０に移動される。
【００５７】
表示部２３２はさらにリスト蓄積領域６６０に蓄積項目を蓄積された形態で表示する。図６の実施例で蓄積項目は画面に対して予め設定された角度ほど傾いた形態で、遠近感を感じるように表示される。特に、蓄積項目はリスト表示領域６５０と近い辺を軸へ傾いた形態に表示される。すなわち、蓄積項目は蓄積項目の傾くことによって使用者から遠いことに表示される辺の使用者から近いことに表示される辺より長い形態で表示されることができる。例えば、要素６１０からリスト表示領域６５０の左側に位置するＡ及びＢ項目はＣ項目に近い辺を軸として画面を穿って出る方向に傾いた形態に表示される。また、蓄積項目は一蓄積領域に表示される蓄積項目が２つ以上の場合、互いに重なった形態に表示される。蓄積項目が多くない場合、蓄積項目の情報のうちで一部が互いに重ならない部分を通じて表示されることができる。例えば要素６１０でＡ項目及びＢ項目の字(Ａ、Ｂ)の一部が表示されることができる。蓄積項目が互いに重なる時、表示項目により近い項目が表示項目からより遠い項目より上側(画面を穿って出る方向)に位置するように重なることができる。それによって最も上位に位置する、すなわち表示領域と最も引接したＢ項目はたとえ傾いた形態であるが陰る部分が無しに全体が表示されることができる。
【００５８】
要素６２０に対する図面のように、使用者のスクロール入力によってリスト蓄積領域６６０にあった項目がリスト表示領域６５０に移動し、リスト表示領域６５０にあった項目がリスト蓄積領域６６０に移動する。この時、まるでカードが重なり、重なっているカードが広がることと同様の視覚效果を提供することができる。
【００５９】
一般的に、リスト蓄積領域６６０の面積は一定するが、リスト蓄積領域６６０に表示される蓄積項目の個数は変わることができる。リスト蓄積領域６６０に表示される蓄積項目の個数が多い場合、リスト蓄積領域６６０で表示される蓄積項目の個数が少ない場合に比べて蓄積項目がよりびっしりと配置された形態で表示されることができる。
【００６０】
図７本発明の第５実施例によるリスト表示画面である。
【００６１】
表示部２３２は画面領域のうちで一部をリスト表示領域７５０及びリスト蓄積領域７６０で割り当てる。第５実施例ではリスト表示領域７５０に１つの表示項目だけが同時に表示される。
【００６２】
この実施例において、要素７１０ではＥ項目がリスト表示領域７５０に表示され、他の項目は表示要素Ｅの後にリスト蓄積領域７６０(左側及び右側)に積もる。以後、使用者のスクロールによって(ハッシュされた円及び方向矢印が指示するように)要素７２０ではＤ項目がリスト表示領域７５０に表示される。スクロール動作が続くことによって要素７３０ではＣ項目がリスト表示領域７５０に表示され、要素７４０ではＡ項目がリスト表示領域７５０に表示される。リストの終り(項目Ａに表現される)に到逹するまでスクロ-ルリングは続くことができることが認知されるので項目Ｂの表示は省略される。リストの終わり(項目Ａ)が表示される時、右側リスト蓄積領域７６０は空けられて左側リスト蓄積領域はすべての蓄積された項目を保有する。
【００６３】
スクロ-ルリングは項目をタッピングしてスクロ-ルリング方向に動くことによって各項目に対して個別的に遂行されることができることは理解される。又は、スクロ-ルリングは１つの単一したスクロール入力(例えば、フリック、ここで移動の速度及び方向が分析され、いくら多い移動が遂行されるのか判断するために利用される。)に応答して自動的に遂行される。
【００６４】
表示部２３２はリスト蓄積領域７６０に蓄積項目を蓄積された形態で表示する。図７の実施例で蓄積項目は表示項目の後方(画面を穿って入る方向)に位置した形態で、遠近感を感じるように表示される。特に、表示項目に近い蓄積項目であればあるほどより前方(画面を穿って出る方向)に位置する形態に表示される。したがって、表示項目に近い蓄積項目であればあるほどより大きく表示される。また、左右方向においても表示項目に近い蓄積項目であればあるほどリスト表示領域７５０に近くに位置したことに表示される。このような表示方式を総合すると、まるで階段のような方式で蓄積項目が表示されることができる。
【００６５】
リスト蓄積領域７６０の面積は一定するが、リスト蓄積領域７６０に表示される蓄積項目の個数は時によって変わることができる。リスト蓄積領域７６０に表示される蓄積項目の個数が多い場合、リスト蓄積領域７６０に表示される蓄積項目の個数が少ない場合に比べて蓄積項目がよりびっしりと配置された形態で表示されることができる。蓄積された項目の密度はリスト蓄積領域内の各項目が少なくとも一部見えるように決定されることができる。しかし、密度は各項目の一部を見せてくれることができないほどに非常に大きいかも知れない。この場合、リスト蓄積領域内の項目の数はリスト蓄積領域内の各項目の最小部分が見えるように制限されることができる。
【００６６】
図８は本発明の第６実施例によるリスト表示過程のフローチャートである。
【００６７】
図８の段階３１０乃至段階３３０は図３の段階３１０乃至段階３３０に相応するのでここでは詳細な説明を省略する。
【００６８】
段階８４０で表示部２３２は蓄積項目の個数によってリスト蓄積領域を設定して表示する。段階８４０の具体的な実施例は図９乃至図１１を参照して後述する。
【００６９】
図９は本発明の第７実施例によるリスト表示画面である。示された例で、リストの項目は電子ブック(ｅ−ｂｏｏｋ)のページ(又はページの一部)を表現することができる。電子ブックは本技術分野で広く知られ、電子ブックリーダーら、例えばアマゾンキンドル(ＡＭＡＺＯＮ  ＫＩＮＤＬＥ)、バーンズ・アンド・ノーブル(Ｂａｒｎｅｓ  ａｎｄ  Ｎｏｂｌｅ)ヌック(ＮＯＯＫ)は広く知られた電子ブックリーダーである。ＡＭＡＺＯＮとＫＩＮＤＬＥはアマゾンテクノロジーズ株式会社(Ａｍａｚｏｎ  Ｔｅｃｈｎｏｌｏｇｉｅｓ、Ｉｎｃ．)の商標であり、ＮＯＯＫはフィッションＬＬＣ(Ｆｉｓｓｉｏｎ  ＬＬＣ)の商標であり、Ｂａｒｎｅｓ  ａｎｄ  Ｎｏｂｌｅはバーンズ・アンド・ノーブル株式会社の登録商標である。
【００７０】
図９の要素９１０を参照すれば、表示部２３２は画面領域をリスト表示領域９５０とリスト蓄積領域９６０で分割する。この実施例ではリスト蓄積領域９６０がリスト表示領域９５０の右側に１つだけが存在する。図９の実施例で表示項目に後行する項目が蓄積項目となる。図９に表示されるリスト蓄積領域９６０は後行する項目の個数によってその表示内容が変わる。他の実施例によれば表示項目に先行する項目が蓄積項目となり、リスト表示領域９５０の左側のリスト蓄積領域に含まれることもできる。本のページをめくることと同じくページをめくる毎に奇数、偶数ページが転換されて、それによってリスト蓄積領域９６０の位置及び表示内容が転換されることもできる。
【００７１】
表示部２３２はリスト表示領域９５０に表示項目を表示する。要素９１０では２００ページの中で一番目ページがリスト表示領域９５０に表示されることができる。以後、使用者のスクロールによって(ハッシュされた円及び方向矢印によって指示されるように)電子ブックの追加的ページがリスト蓄積領域９６０からリスト表示領域９５０に移動されることができる。例えば、使用者がページをスクロールすることを続くことによって要素９２０では１２０番目ページがリスト表示領域９５０に表示される。類似にスクロール入力によって要素９３０では１９５番目ページがリスト表示領域９５０に表示され、第４段階９４０では２００番目ページがリスト表示領域９５０に表示される。
【００７２】
この実施例で、表示部２３２はリスト蓄積領域９６０に蓄積項目の個数ほどの線を表示する。要素９４０の場合、蓄積項目がないのでリスト蓄積領域９６０に線が全然表示されない。しかし、要素９３０の場合、表示ページに後行するページが５ページなのでリスト蓄積領域９６０に５個の線が表示される。この方式によれば、第１段階９１０と第２段階９２０ではそれぞれ１９９個、８０個の線が表示されるべきである。しかし、現実的にリスト蓄積領域９６０に割り当てられる面積と解像度が制限され、このような線を充分に表示することができない場合であれば、線個数代わりに明暗で蓄積項目の個数を現わすことができる。すなわち、蓄積項目の個数の多いほど低い明度の色で設定してリスト蓄積領域９６０を表示することができる。例えば第１段階９１０では１９９個の蓄積項目に相応するように明度が非常に低い黒い色(ＲＧＢカラーで(０、０、０))でリスト蓄積領域９６０を満たすことができる。第２段階９２０では８０個の蓄積項目に相応するように中間ほど明度の灰色(ＲＧＢカラーで(１５０、１５０、１５０))でリスト蓄積領域９６０を満たすことができる。リスト蓄積領域９６０を満たす色相と彩度は使用者の設定に変わることができる。また、使用者の設定によっては図９の実施例と反対に蓄積項目の個数の多いほど明度が高い色でリスト蓄積領域９６０を満たすこともできる。
【００７３】
図９の実施例を活用すれば使用者が電子ブックを読みながらリスト蓄積領域９６０に表示された色や線の個数を利用してまるで実際本を見ることのように残ったページ数を推測することができる。
【００７４】
図１０は本発明の第８実施例によるリスト表示画面である。
【００７５】
図１０の実施例で電子ブックの各ページがリストの項目となる。
【００７６】
図１０の実施例では蓄積項目の個数が少ない場合にもリスト蓄積領域１０６０の明度を利用して蓄積項目の個数を表示する。
【００７７】
この実施例で、以前に説明したように表示部２３２は画面領域をリスト表示領域１０５０とリスト蓄積領域１０６０で分割する。図１０の実施例ではリスト蓄積領域１０６０が１つだけが存在する。図１０の実施例で表示項目に後行する項目が蓄積項目となる。しかし、使用者が右側から左側にスクロールすることによってリスト表示領域１０５０にあった項目を集める第２蓄積領域１０６０が含まれることもできる。この例でリスト蓄積領域１０６０は後行する項目の個数によってその明度が変わる。ただ、実施例にしたがって図１０の実施例とは反対に表示項目に先行する項目が蓄積項目となることもできる。実際の本を見ることと同じくページをめくる毎に奇数、偶数ページが転換され、それによってリスト蓄積領域１０６０の位置及び表示内容が転換されることもできる。
【００７８】
表示部２３２はリスト表示領域１０５０に表示項目を表示する。１０１０乃至１０４０表示される表示項目は図９の９１０乃至９４０で表示される表示項目と同様であるのでここでは詳しい説明を省略する。
【００７９】
表示部２３２は蓄積項目の個数に相応する明度を決定してリスト蓄積領域１０６０を表示する。第４段階１０４０の場合、蓄積項目がないのでリスト蓄積領域１０６０は最も高い明度である白色(ＲＧＢカラーで(２５５、２５５、２５５))で表示される。第３段階１０４０の場合、表示ページに後行するページが５ページなのでリスト蓄積領域１０６０は比較的白に近い灰色(ＲＧＢカラーで(２４０、２４０、２４０))で表示される。第１段階１０１０では１９９個の蓄積項目に相応するように明度が非常に低い黒い色(ＲＧＢカラーで(０、０、０))でリスト蓄積領域１０６０を満たすことができる。第２段階１０２０では８０個の蓄積項目に相応するように中間ほど明度の灰色(ＲＧＢカラーで(１５０、１５０、１５０))でリスト蓄積領域１０６０を満たすことができる。リスト蓄積領域１０６０を満たす色相と彩度は使用者の設定に変わることができる。また、使用者の設定によっては図９の実施例と反対に蓄積項目の個数の多いほど明度が高い色でリスト蓄積領域１０６０を満たすこともできる。
【００８０】
図１０の実施例を活用すれば使用者が電子ブックを読みながらリスト蓄積領域１０６０に表示された色の明暗を利用してまるで実際の本を見ることのように残ったページ数を推測することができる。
【００８１】
図９及び図１０が電子ブックのページを読むために右側から左側にスクロ-ルリングすることで電子ブックを読むことを参照したが、ヘブライ語、アラビア語の本のような左から右側に書かれた電子ブックや中国語本のような垂直方向に書かれた電子ブックにも上述した過程が適用されることができる。このような変形例で、リスト蓄積領域(９６０、１０６０)はリスト表示領域(９５０、１０５０)の左側又は上側境界に含まれることができる。
【００８２】
図１１は本発明の第９実施例によるリスト表示画面である。
【００８３】
表示部２３２は画面領域をリスト表示領域１１４０とリスト蓄積領域１１５０で分割する。ただ、ここでリスト蓄積領域１１５０に割り当てられる面積は蓄積項目の個数によって変わる。
【００８４】
表示部２３２は表示項目をリスト表示領域１１４０に表示する。１１１０段階では項目 ４４乃至５０がリスト表示領域１１４０に表示され、１１２段階では項目２０乃至項目２６がリスト表示領域１１４０に表示される。１１３０段階では項目１乃至項目７がリスト表示領域１１４０に表示される。
【００８５】
表示部２３２はリスト蓄積領域１１５０に蓄積項目の個数に相応する面積を割り当てる。例えば、(蓄積項目の個数)ｘ(０．１ｍｍ)ほどの高さを有し、画面領域の幅ほどの幅を持つ面積をリスト蓄積領域１１５０に割り当てることができる。１１１０段階では上側リスト蓄積領域１１５０に相応する蓄積項目が４３個である。したがって上側リスト蓄積領域１１５０の高さが４．３ｍｍとなる。１１２０段階では上側リスト蓄積領域１１５０に相応する蓄積項目が１９個である。したがって上側リスト蓄積領域１１５０の高さが1．９ｍｍとなる。最後に１１３０段階では上側リスト蓄積領域１１５０に相応する蓄積項目がない。したがって上側リスト蓄積領域１１５０の高さが０ｍｍとなる。すなわち、上側リスト蓄積領域１１５０が割り当てられない形態になる。下側リスト蓄積領域１１５０にも同様に下側リスト蓄積領域１１５０に相応する面積が割り当てられることができる。使用者がリスト蓄積領域１１５０をリスト表示領域１１５０と区分するようにするために表示部２３２はリスト蓄積領域１１５０を予め設定された色や模様で満たして表示することができる。使用者はリスト蓄積領域１１５０の面積を基礎で各リスト蓄積領域１１５０に該当する蓄積項目の個数を推測することができる。図１１の実施例によれば、リスト蓄積領域１１５０内の任意の項目は実際に表現されなく蓄積された項目の量を指示するリスト蓄積領域１１５０の高さだけが表示されることもできる。このような場合にも、特定の理由で、７、２０、２６及び５０等の項目が縮小された形態で表示されることができ、項目７、２０、２６及び５０は実際に表示される。したがって、項目７、２０、２６及び５０はリスト表示領域１１４０内にある。
【００８６】
この時、処理流れ図の図面の各ブロックと流れ図の図面の組合はコンピュータープログラムインストラクションによって遂行される可能性があることを理解することができるでしょう。これらコンピュータープログラムインストラクションは汎用コンピューター、特殊用コンピューター又はその他プログラム可能なデータプロセッシング装備のプロセッサーに搭載されることができるので、コンピューター又はその他のプログラム可能なデータプロセッシング装備のプロセッサーを通じて遂行されるそのインストラクションが流れ図ブロックで説明された機能を遂行する手段を生成するようになる。これらコンピュータープログラムインストラクションは特定方式で機能を具現するためにコンピューター又はその他のプログラム可能なデータプロセッシング装備を志向することができるコンピューター利用可能又はコンピューター判読可能メモリーに貯蔵されることも可能であるので、そのコンピューター利用可能又はコンピューター判読可能メモリーに貯蔵されたインストラクションは流れ図ブロックで説明された機能を遂行するインストラクション手段を内包する製造品目を生産することも可能である。コンピュータープログラムインストラクションはコンピューター又はその他のプログラム可能なデータプロセッシング装備上に搭載されることも可能なので、コンピューター又はその他のプログラム可能なデータプロセッシング装備上で一連の動作段階が遂行されてコンピューターで実行されるプロセスを生成してコンピューター又はその他のプログラム可能なデータプロセッシング装備を遂行するインストラクションは流れ図ブロックで説明された機能を行うための段階を提供することも可能である。
【００８７】
また、各ブロックは特定された論理的機能を行うための１つ以上の実行可能なインストラクションを含むモジュール、セグメント又はコードの一部を現わすことができる。また、何種類代替実行例ではブロックで言及された機能が手順を外れて発生することも可能であることを注目すべきである。例えば、相次いで示されている２つのブロックは実は実質的に同時に遂行されることも可能であり、又はそのブロックが時々該当する機能によって逆順に遂行されることも可能である。
【００８８】
この時、本の実施例で使用される「〜部」という用語はソフトウェア又はＦＰＧＡ又はＡＳＩＣのようなハードウェア構成要素を意味し、「〜部」はどんな役目を遂行する。
【００８９】
しかし、「〜部」はソフトウェア又はハードウェアに限定される意味ではない。「〜部」はアドレシングすることができる貯蔵媒体にあるように構成されることもでき、１つ以上又はその以上のプロセッサーを再生させるように構成されることもできる。したがって、一例として「〜部」はソフトウェア構成要素、客体志向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素と「〜部」のうちで提供される機能はより小さな数の構成要素及び「〜部」に結合されるとか追加的な構成要素と「〜部」でより分離することができる。それだけでなく、構成要素及び「〜部」はデバイス又は保安マルチメディアカード内の１つ又はその以上のＣＰＵを再生させるように具現されることもできる。
【００９０】
本発明の一実施はいによる端末は携帯電話、ＰＤＡ(Ｐｅｒｓｏｎａｌ  Ｄｉｇｉｔａｌ  Ａｓｓｉｓｔａｎｔ)、ナビゲーション(ｎａｖｉｇａｔｉｏｎ)、デジタル放送受信機、ＰＭＰ(Ｐｏｒｔａｂｌｅ  ＭｕｌｔｉｍｅｄｉＡＰｌａｙｅｒ)などのような携帯用電子機器装置を含むことができる。
【００９１】
本発明が属する技術分野の通常の知識を有する者は本発明がその技術的思想や必須な特徴を変更しなくても他の具体的な形態で実施されることができるということを理解することができるでしょう。よって、上述した実施例はすべての面で例示的なもので限定的ではないことで理解しなければならない。本発明の範囲は上記詳細な説明よりは後述する特許請求の範囲によって現わし、特許請求の範囲の意味及び範囲、そしてその均等概念から導出されるすべての変更又は変形された形態が本発明の範囲に含まれることに解釈されなければならない。
【００９２】
一方、本明細書と図面には本発明の好ましい実施例に対して開示した。たとえ特定用語が使用されたが、これはただ本発明の記述内容を容易に説明して発明の理解を助けるための一般的な意味で使用されたものだけ、本発明の範囲を限定しようとするものではない。ここに開示された実施例の外にも本発明の技術的思想に基づいた他の変形例が実施可能であるということは本発明が属する技術分野で通常の知識を有する者に自明なものである。
【符号の説明】
【００９３】
１１０…  リスト
１２０…  リスト
１３０…  画面領域
２００…  端末機
２１０…  通信部
２２０…  オーディオ処理部
２３０…  タッチスクリーン部
２３１…  タッチセンサー部
２３２…  表示部
２４０…  キー入力部
２５０…  貯蔵部
２６０…  制御部
２６１…  リスト分類部
【図１】
0005980801.tif 000002
【図２】
0005980801.tif 000003
【図３】
0005980801.tif 000004
【図４】
0005980801.tif 000005
【図６】
0005980801.tif 000006
【図７】
0005980801.tif 000007
【図８】
0005980801.tif 000008
【図９】
0005980801.tif 000009
【図１０】
0005980801.tif 000010
【図１１】
0005980801.tif 000011
【図５Ａ】
0005980801.tif 000012
【図５Ｂ】
0005980801.tif 000013